(57)【要約】【課題】従来に比較してマトリックススイッチの規模を大幅に小さくすることができる、光パスクロスコネクト装置を提供する。【解決手段】波長クロスコネクト部ＷＸＣが、波長レベルＷＬＬへのドロップ波長群を構成するｙＫＭ個の波長のパスと電気レイヤＥＬへドロップさせる所定数のドロップ波長のパスとの間で切り換えを行うＮ個の波長ドロップ用マトリックススイッチＷＭＳ１と、所定数のドロップ波長群を構成する波長のパスとその所定数の加入波長群を構成する波長のパスとの間で切り換えを行う波長方路切換用マトリックススイッチＷＭＳ２と、電気レイヤＥＬからの所定数の加入波長のパスと所定数の加入波長群を構成する波長のパスとの間で切り換えを行う波長加入用マトリックススイッチＷＭＳ３とを、Ｎ個の波長毎に、含むことから、波長レベルＷＬＬにおいて、本来的に不要なドロップ出力に対するアッド入力に対応するマトリックス領域が解消される。【選択図】図８
2010219828.tif 000002
【特許請求の範囲】
【請求項１】
複数の入力側波長群パスを介して入力された複数組の波長群をそれぞれ構成する各波長を波長単位でルーティングを行って複数の波長群をそれぞれ再構成した後、該再構成した複数組の波長群を複数の出力側波長群パスへ出力するとともに、前記入力された複数組の波長群を構成する波長のうちの所定割合でドロップ波長を電気レイヤへドロップさせ且つ前記波長群を再構成するために所定割合の加入波長を該電気レイヤから加入する波長クロスコネクト部を備える光パスネットワークの光パスクロスコネクト装置であって、
前記波長クロスコネクト部は、
前記複数組の入力波長群をそれぞれ構成する各波長のパスと前記所定割合のドロップ波長のパスとの間で切り換えを行う入力波長群波長／ドロップ波長間マトリックススイッチと、
前記複数組の入力波長群をそれぞれ構成する各波長のパスと前記複数組の出力波長群をそれぞれ再構成する各波長のパスとの間で切り換えを行う入力波長群波長／出力波長群波長間マトリックススイッチと、
前記所定割合の加入波長のパスと前記複数組の出力波長群をそれぞれ再構成する各波長のパスとの間で切り換えを行う加入波長／出力波長群波長間マトリックススイッチと
を、含むことを特徴とする光パスネットワークの光パスクロスコネクト装置。
【請求項２】
前記入力側波長群パスの数および出力側波長群パスの数をそれぞれＫ、１つの波長群パス内の波長群の数をＭ、１つの波長群内の波長数をＮ、前記電気レイヤに対するａｄｄ／ｄｒｏｐ率をｚ( 但し、ｚは０〜１) としたとき、
前記入力波長群波長／ドロップ波長間マトリックススイッチは、ＫＭＮ個の入力とｚＫＭＮ個の出力とを有するものであり、
前記入力波長群波長／出力波長群波長間マトリックススイッチは、Ｋ個の入力とＫ個の出力とを有するＭＮ個のマトリックススイッチから成るものであり、
前記加入波長／出力波長群波長間マトリックススイッチは、ｚＫＭＮ個の入力とＫＭＮ個の出力とを有するものであることを特徴とする請求項１の光パスネットワークの光パスクロスコネクト装置。
【請求項３】
前記入力側波長群パスの数および出力側波長群パスの数をそれぞれＫ、１つの波長群パス内の波長群の数をＭ、１つの波長群内の波長数をＮ、前記電気レイヤに対するａｄｄ／ｄｒｏｐ率をｚ( 但し、ｚは０〜１) としたとき、
前記入力波長群波長／ドロップ波長間マトリックススイッチは、Ｋ個の入力とｚＫ個の出力とを有するＭＮ個のマトリックススイッチから成るものであり、
前記入力波長群波長／出力波長群波長間マトリックススイッチは、Ｋ個の入力とＫ個の出力とを有するＭＮ個のマトリックススイッチから成るものであり、
前記加入波長／出力波長群波長間マトリックススイッチは、ｚＫ個の入力とＫ個の出力とを有するＭＮ個のマトリックススイッチから成るものであることを特徴とする請求項１の光パスネットワークの光パスクロスコネクト装置。
【請求項４】
前記入力側波長群パスの数および出力側波長群パスの数をそれぞれＫ、１つの波長群パス内の波長群の数をＭ、１つの波長群内の波長数をＮ、前記電気レイヤに対するａｄｄ／ｄｒｏｐ率をｚ( 但し、ｚ＝１) としたとき、
前記入力波長群波長／ドロップ波長間マトリックススイッチは、１個の入力と２個の出力とを有するＫＭＮ個のスイッチから成るものであり、
前記入力波長群波長／出力波長群波長間マトリックススイッチは、Ｋ個の入力とＫ個の出力とを有するＭＮ個のマトリックススイッチから成るものであり、
前記加入波長／出力波長群波長間マトリックススイッチは、２個の入力と１個の出力とを有するＫＭＮ個のスイッチから成るものであることを特徴とする請求項１の光パスネットワークの光パスクロスコネクト装置。
【請求項５】
複数の入力側波長群パスを介して入力された複数組の波長群を波長群単位でルーティングを行って複数の出力側波長群パスへ出力するとともに、該入力された複数組の波長群のうちの所定割合のドロップ波長群をドロップさせ且つ所定割合の加入波長群を加入して前記出力側波長群パスのいずれかから出力させるバンドクロスコネクト部と、前記ドロップされた所定割合のドロップ波長群をそれぞれ構成する複数の波長を波長単位でルーティングを行って前記所定割合の加入波長群を構成する波長クロスコネクト部とを、備える光パスネットワークの階層化光パスクロスコネクト装置であって、
前記バンドクロスコネクト部は、
前記複数の入力波長群パスと前記所定割合のドロップ波長群のパスとの間で切り換えを行う入力波長群／ドロップ波長群間マトリックススイッチと、
前記複数の入力波長群パスと前記複数の出力波長群パスとの間で切り換えを行う入力波長群／出力波長群間マトリックススイッチと、
前記所定割合の加入波長群のパスと前記複数の出力波長群パスとの間で切り換えを行う加入波長群／出力波長群間マトリックススイッチと
を、含むことを特徴とする光パスネットワークの階層化光パスクロスコネクト装置。
【請求項６】
前記入力側波長群パスの数および出力側波長群パスの数をそれぞれＫ、１つの波長群パス内の波長群の数をＭ、１つの波長群内の波長数をＮ、前記波長クロスコネクト部に対するａｄｄ／ｄｒｏｐ率をｙ( 但し、ｙは０〜１) としたとき、
前記入力波長群／ドロップ波長群間マトリックススイッチは、ＫＭ個の入力とｙＫＭ個の出力とを有するものであり、
前記入力波長群／出力波長群間マトリックススイッチは、Ｋ個の入力とＫ個の出力とを有するＭ個のマトリックススイッチから成るものであり、
前記加入波長群／出力波長群間マトリックススイッチは、ｙＫＭ個の入力とＫＭ個の出力とを有するものであることを特徴とする請求項５の光パスネットワークの階層化光パスクロスコネクト装置。
【請求項７】
前記波長クロスコネクト部は、
前記バンドクロスコネクト部から該波長クロスコネクト部へドロップされた所定数のドロップ波長群を構成する波長のパスと電気レイヤへドロップさせる所定数のドロップ波長のパスとの間で切り換えを行うドロップ波長群波長／ドロップ波長間マトリックススイッチと、
前記所定数のドロップ波長群を構成する波長のパスと前記所定数の加入波長群を構成する波長のパスとの間で切り換えを行うドロップ波長群波長／加入波長群波長間マトリックススイッチと、
前記電気レイヤからの所定数の加入波長のパスと前記所定数の加入波長群を構成する波長のパスとの間で切り換えを行う加入波長／加入波長群波長間マトリックススイッチと
を、含むことを特徴とする請求項５または６の光パスネットワークの階層化光パスクロスコネクト装置。
【請求項８】
前記電気レイヤに対するａｄｄ／ｄｒｏｐ率をｚ( 但し、ｚは０〜１) としたとき、
前記ドロップ波長群波長／ドロップ波長間マトリックススイッチは、ｙＫＭＮ個の入力とｚｙＫＭＮ個の出力とを有するものであり、
前記ドロップ波長群波長／加入波長群波長間マトリックススイッチは、ｙＫＭ個の入力とｙＫＭ個の出力とを有するＮ個のマトリックススイッチから成るものであり、
前記加入波長／加入波長群波長間マトリックススイッチは、ｚｙＫＭＮ個の入力とｙＫＭＮ個の出力とを有するものであることを特徴とする請求項７の光パスネットワークの階層化光パスクロスコネクト装置。
【請求項９】
前記電気レイヤに対するａｄｄ／ｄｒｏｐ率をｚ( 但し、ｚ＝１) としたとき、
前記ドロップ波長群波長／ドロップ波長間マトリックススイッチは、１個の入力と２個の出力とを有するｙＫＭＮ個のスイッチから成るものであり、
前記入力波長群波長／出力波長群波長間マトリックススイッチは、ｙＫＭ個の入力とｙＫＭ個の出力とを有するＮ個のマトリックススイッチから成るものであり、
前記加入波長／出力波長群波長間マトリックススイッチは、２個の入力と１個の出力とを有するｙＫＭＮ個のスイッチから成るものであることを特徴とする請求項７の光パスネットワークの階層化光パスクロスコネクト装置。
【請求項１０】
前記入力波長群／ドロップ波長群間マトリックススイッチは、前記複数の入力側波長群パスのうちの１つの波長群パス中の波長群数Ｍ個のＫ入力、ｙＫＭ出力のスイッチに分割して構成され、
前記加入波長群／出力波長群間マトリックススイッチは、前記複数の入力側波長群パスのうちの１つの波長群パス中の波長群数Ｍ個のＫ入力、ｙＫＭ出力のスイッチに分割して構成されていることを特徴とする請求項５または６の光パスネットワークの光パスクロスコネクト装置。
【請求項１１】
前記ドロップ波長群波長／ドロップ波長間マトリックススイッチは、前記１波長群中の波長数Ｎ個のｙＫＭ入力、ｚｙＫＭ出力のスイッチに分割して構成され、
前記加入波長群／出力波長群間マトリックススイッチは、前記複数の入力側波長群パスのうちの１つの波長群パス中の波長群数Ｍ個のＫ入力、ｙＫＭ出力のスイッチに分割して構成されていることを特徴とする請求項８の光パスネットワークの光パスクロスコネクト装置。
【発明の詳細な説明】
【技術分野】
【０００１】
本発明は、光パスネットワークの中継ノードとして機能する光パスクロスコネクト装置および階層化光パスクロスコネクト装置に関するものである。
【背景技術】
【０００２】
光パスネットワークでは、所定の通信波長帯のたとえば１００ＧＨｚ毎に分割された複数の波長チャネル(wave channel or light path)にそれぞれ対応する複数の波長の光が合波された波長分割多重（ＷＤＭ：Wavelength Division Multiplexing）光すなわち波長群が、複数本のパス( 光ファイバ) を介して複数並列に伝送される。上記光パスネットワークの各中継ノードでは、光ファイバーなどにより伝送された上記波長群がそのまま所定の伝送方向の光ファイバへ切り換えられるとともに、その波長群に含まれる波長( チャネル) が分離され且つ再合波された波長群が、所定の伝送方向の光ファイバーへ切り換えられる。特許文献１に示される光クロスコネクト装置はその一例である。
【０００３】
近年では、通信容量の増加により上記中継ノードを構成する光パスクロスコネクト装置において、入力側の伝送路から入力された複数の波長群或いは波長を出力側の伝送路のうちの所定の伝送路へ直接的にルーティングする方路切換や、入力された複数の波長群或いは波長の一部をドロップさせて所定の方路の他の波長群へ加える( アッド) のための切り換えに用いられるマトリックススイッチの規模が増大しており、装置の規模や価格の観点から、そのマトリックススイッチの規模を可及的に小さくすることが求められている。
【先行技術文献】
【特許文献】
【０００４】
【特許文献１】特開２００８−２５２６６４号公報
【発明の概要】
【発明が解決しようとする課題】
【０００５】
ところで、たとえば図１２に示すように、Ｋ本の入力側光ファイバを介してそれぞれＫ個の波長群が入力され、バンド( 波長群) クロスコネクト部においてその波長群単位でＫ本の出力側光ファイバへルーティングするとともに、所定のａｄｄ／ｄｒｏｐ率ｙで波長単位のルーティングを行うための波長群を波長クロスコネクト部へａｄｄ／ｄｒｏｐさせる一方で、波長クロスコネクト部においてその波長群に含まれるＭ個の波長を分解して波長単位でルーティングを行うとともに、ルータ等が設けられて電気的信号と波長単位の光信号との間の信号変換を行うための電気レイヤ( 電気レベル) ＥＬへ波長を所定のａｄｄ／ｄｒｏｐ率ｚでａｄｄ／ｄｒｏｐさせるように構成した階層化光パスクロスコネクト装置が提案されている。この階層化光パスクロスコネクト装置の場合には、バンドクロスコネクト部では、Ｍ個の( １＋ｙ) Ｋ×( １＋ｙ) Ｋのマトリックススイッチが設けられ、波長クロスコネクト部では、ＭＮ個のｙＫ( １＋ｚ) ×ｙＫ( １＋ｚ) のマトリックススイッチが設けられる。このため、( 波長群数ＫＭＮ＋ドロップ波長数) ×( 波長群数ＫＭＮ＋加入波長数) という大きさの１個のマトリックススイッチを用いて、同様の入力数の波長群単位のルーティングを行うとともに、波長を異なる組み合わせで再合成した波長群とするために波長単位でルーティングを行う場合に比較して、大幅にマトリックススイッチの規模を小さくできる。
【０００６】
しかしながら、上記従来の光パスクロスコネクト装置のトリックススイッチでは、入力側の伝送路から入力された複数の波長群或いは波長を出力側の伝送路のうちの所定の伝送路へ直接的にルーティングする方路切換と、入力された複数の波長群或いは波長の一部をドロップさせて所定の方路の他の波長群へ加える( アッド) を行うａｄｄ／ｄｒｏｐ切換えとに用いられるマトリックススイッチが一体的に構成されていることから、たとえば図１１の破線に示すように、その規模が、伝送路を構成する光ファイバ数、１本の光ファイバに含まれる波長群数、１つの波長群に含まれる波長数の増加に伴って大きくなり、装置の規模や価格の観点から、マトリックススイッチの規模が未だ大きいという欠点があった。
【０００７】
本発明は以上の事情を背景として為されたものであり、その目的とするところは、従来に比較してマトリックススイッチの規模を大幅に小さくすることができる、光パスネットワークの光パスクロスコネクト装置或いは階層化光パスクロスコネクト装置を提供することにある。
【課題を解決するための手段】
【０００８】
本発明者は、以上の事情を背景として種々検討を重ねた結果、上記従来のマトリックススイッチのうち、ｄｒｏｐ出力に対応してａｄｄ入力を行う領域が全く使われないことに着目し、入力した波長群単位或いは波長単位でルーティングを行うマトリックスと、波長群レベル( 波長群ルーティング層) から波長レベル( 波長ルーティング層) へ或いは波長レベルから電気レベルへのｄｒｏｐ( ドロップ) 切り換えを行うマトリックスと、電気レベルから波長レベルへ或いは波長レベルから波長群レベルへのａｄｄ( 加入)切り換えを行うマトリックスとを、機能別に設けることで、本来的に不要なｄｒｏｐ( ドロップ) 出力に対するａｄｄ( 加入) 入力に対応するマトリックス領域が削除されて、全体としてマトリックススイッチの規模を大幅に小さくすることができるという事実を見いだした。本発明は斯かる知見に基づいて為されたものである。
【０００９】
すなわち、前記目的を達成するための請求項１に係る発明の要旨とするところは、(a) 複数の入力側波長群パスを介して入力された複数組の波長群をそれぞれ構成する各波長を波長単位でルーティングを行って複数の波長群をそれぞれ再構成した後、該再構成した複数組の波長群を複数の出力側波長群パスへ出力するとともに、前記入力された複数組の波長群を構成する波長のうちの所定割合でドロップ波長を電気レイヤへドロップさせ且つ前記波長群を再構成するために所定割合の加入波長を該電気レイヤから加入する波長クロスコネクト部を備える光パスネットワークの光パスクロスコネクト装置であって、(b) 前記波長クロスコネクト部は、(b-1) 前記複数組の入力波長群をそれぞれ構成する各波長のパスと前記所定割合のドロップ波長のパスとの間で切り換えを行う入力波長群波長／ドロップ波長間マトリックススイッチと、(b-2) 前記複数組の入力波長群をそれぞれ構成する各波長のパスと前記複数組の出力波長群をそれぞれ再構成する各波長のパスとの間で切り換えを行う入力波長群波長／出力波長群波長間マトリックススイッチと、(b-3) 前記所定割合の加入波長のパスと前記複数組の出力波長群をそれぞれ再構成する各波長のパスとの間で切り換えを行う加入波長／出力波長群波長間マトリックススイッチとを、含むことにある。
【００１０】
また、請求項２に係る発明の要旨とするところは、請求項１に係る発明において、(c) 前記入力側波長群パスの数および出力側波長群パスの数をそれぞれＫ、１つの波長群パス内の波長群の数をＭ、１つの波長群内の波長数をＮ、前記電気レイヤに対するａｄｄ／ｄｒｏｐ率をｚ( 但し、ｚは０〜１) としたとき、(c-1) 前記入力波長群波長／ドロップ波長間マトリックススイッチは、ＫＭＮ個の入力とｚＫＭＮ個の出力とを有するものであり、(c-2) 前記入力波長群波長／出力波長群波長間マトリックススイッチは、Ｋ個の入力とＫ個の出力とを有するＭＮ個のマトリックススイッチから成るものであり、(c-2) 前記加入波長／出力波長群波長間マトリックススイッチは、ｚＫＭＮ個の入力とＫＭＮ個の出力とを有するものであることを特徴とする。
【００１１】
また、請求項３に係る発明の要旨とするところは、請求項１に係る発明において、(d) 前記入力側波長群パスの数および出力側波長群パスの数をそれぞれＫ、１つの波長群パス内の波長群の数をＭ、１つの波長群内の波長数をＮ、前記電気レイヤに対するａｄｄ／ｄｒｏｐ率をｚ( 但し、ｚは０〜１) としたとき、(d-1) 前記入力波長群波長／ドロップ波長間マトリックススイッチは、Ｋ個の入力とｚＫ個の出力とを有するＭＮ個のマトリックススイッチから成るものであり、(d-2) 前記入力波長群波長／出力波長群波長間マトリックススイッチは、Ｋ個の入力とＫ個の出力とを有するＭＮ個のマトリックススイッチから成るものであり、(d-3) 前記加入波長／出力波長群波長間マトリックススイッチは、ｚＫ個の入力とＫ個の出力とを有するＭＮ個のマトリックススイッチから成るものであることを特徴とする。
【００１２】
また、請求項４に係る発明の要旨とするところは、請求項１に係る発明において、(e) 前記入力側波長群パスの数および出力側波長群パスの数をそれぞれＫ、１つの波長群パス内の波長群の数をＭ、１つの波長群内の波長数をＮ、前記電気レイヤに対するａｄｄ／ｄｒｏｐ率をｚ( 但し、ｚ＝１) としたとき、(e-1) 前記入力波長群波長／ドロップ波長間マトリックススイッチは、１個の入力と２個の出力とを有するＫＭＮ個のスイッチから成るものであり、(e-2) 前記入力波長群波長／出力波長群波長間マトリックススイッチは、Ｋ個の入力とＫ個の出力とを有するＭＮ個のマトリックススイッチから成るものであり、(e-3) 前記加入波長／出力波長群波長間マトリックススイッチは、２個の入力と１個の出力とを有するＫＭＮ個のスイッチから成るものであることを特徴とする。
【００１３】
また、請求項５に係る発明の要旨とするところは、(f) 複数の入力側波長群パスを介して入力された複数組の波長群を波長群単位でルーティングを行って複数の出力側波長群パスへ出力するとともに、該入力された複数組の波長群のうちの所定割合のドロップ波長群をドロップさせ且つ所定割合の加入波長群を加入して前記出力側波長群パスのいずれかから出力させるバンドクロスコネクト部と、前記ドロップされた所定割合のドロップ波長群をそれぞれ構成する複数の波長を波長単位でルーティングを行って前記所定割合の加入波長群を構成する波長クロスコネクト部とを、備える光パスネットワークの階層化光パスクロスコネクト装置であって、(g) 前記バンドクロスコネクト部は、(g-1) 前記複数の入力波長群パスと前記所定割合のドロップ波長群のパスとの間で切り換えを行う入力波長群／ドロップ波長群間マトリックススイッチと、(g-2) 前記複数の入力波長群パスと前記複数の出力波長群パスとの間で切り換えを行う入力波長群／出力波長群間マトリックススイッチと、(g-3) 前記所定割合の加入波長群のパスと前記複数の出力波長群パスとの間で切り換えを行う加入波長群／出力波長群間マトリックススイッチとを、含むことにある。
【００１４】
また、請求項６に係る発明の要旨とするところは、請求項５に係る発明において、(h) 前記入力側波長群パスの数および出力側波長群パスの数をそれぞれＫ、１つの波長群パス内の波長群の数をＭ、１つの波長群内の波長数をＮ、前記波長クロスコネクト部に対するａｄｄ／ｄｒｏｐ率をｙ( 但し、ｙは０〜１) としたとき、(h-1) 前記入力波長群／ドロップ波長群間マトリックススイッチは、ＫＭ個の入力とｙＫＭ個の出力とを有するものであり、(h-2) 前記入力波長群／出力波長群間マトリックススイッチは、Ｋ個の入力とＫ個の出力とを有するＭ個のマトリックススイッチから成るものであり、(h-3) 前記加入波長群／出力波長群間マトリックススイッチは、ｙＫＭ個の入力とＫＭ個の出力とを有するものであることを特徴とする。
【００１５】
また、請求項７に係る発明の要旨とするところは、請求項５または６に係る発明において、(i) 前記波長クロスコネクト部は、(i-1) 前記バンドクロスコネクト部から該波長クロスコネクト部へドロップされた所定数のドロップ波長群を構成する波長のパスと電気レイヤへドロップさせる所定数のドロップ波長のパスとの間で切り換えを行うドロップ波長群波長／ドロップ波長間マトリックススイッチと、(i-2) 前記所定数のドロップ波長群を構成する波長のパスと前記所定数の加入波長群を構成する波長のパスとの間で切り換えを行うドロップ波長群波長／加入波長群波長間マトリックススイッチと、(i-3) 前記電気レイヤからの所定数の加入波長のパスと前記所定数の加入波長群を構成する波長のパスとの間で切り換えを行う加入波長／加入波長群波長間マトリックススイッチとを、含むことを特徴とする。
【００１６】
また、請求項８に係る発明の要旨とするところは、請求項７に係る発明において、(j)前記電気レイヤに対するａｄｄ／ｄｒｏｐ率をｚ( 但し、ｚは０〜１) としたとき、(j-1) 前記ドロップ波長群波長／ドロップ波長間マトリックススイッチは、ｙＫＭＮ個の入力とｚｙＫＭＮ個の出力とを有するものであり、(j-2) 前記ドロップ波長群波長／加入波長群波長間マトリックススイッチは、ｙＫＭ個の入力とｙＫＭ個の出力とを有するＮ個のマトリックススイッチから成るものであり、(j-3) 前記加入波長／加入波長群波長間マトリックススイッチは、ｚｙＫＭＮ個の入力とｙＫＭＮ個の出力とを有するものであることを特徴とする。
【００１７】
また、請求項９に係る発明の要旨とするところは、請求項７に係る発明において、(k) 前記電気レイヤに対するａｄｄ／ｄｒｏｐ率をｚ( 但し、ｚ＝１) としたとき、(k-1) 前記ドロップ波長群波長／ドロップ波長間マトリックススイッチは、１個の入力と２個の出力とを有するｙＫＭＮ個のスイッチから成るものであり、(k-2) 前記入力波長群波長／出力波長群波長間マトリックススイッチは、ｙＫＭ個の入力とｙＫＭ個の出力とを有するＮ個のマトリックススイッチから成るものであり、(k-3) 前記加入波長／出力波長群波長間マトリックススイッチは、２個の入力と１個の出力とを有するｙＫＭＮ個のスイッチから成るものであることを特徴とする。
【００１８】
また、請求項１０に係る発明の要旨とするところは、請求項５または６に係る発明において、(l) 前記入力波長群／ドロップ波長群間マトリックススイッチは、前記複数の入力側波長群パスのうちの１つの波長群パス中の波長群数Ｍ個のＫ入力、ｙＫＭ出力のスイッチに分割して構成され、(m) 前記加入波長群／出力波長群間マトリックススイッチは、前記複数の入力側波長群パスのうちの１つの波長群パス中の波長群数Ｍ個のＫ入力、ｙＫＭ出力のスイッチに分割して構成されていることを特徴とする。
【００１９】
また、請求項１１に係る発明の要旨とするところは、請求項８に係る発明において、(n) 前記ドロップ波長群波長／ドロップ波長間マトリックススイッチは、前記１波長群中の波長数Ｎ個のｙＫＭ入力、ｚｙＫＭ出力のスイッチに分割して構成され、(o) 前記加入波長群／出力波長群間マトリックススイッチは、前記複数の入力側波長群パスのうちの１つの波長群パス中の波長群数Ｍ個のＫ入力、ｙＫＭ出力のスイッチに分割して構成されていることを特徴とする。
【発明の効果】
【００２０】
請求項１に係る発明の光パスネットワークの光パスクロスコネクト装置によれば、波長クロスコネクト部が、(b-1) 前記複数組の入力波長群をそれぞれ構成する各波長のパスと前記所定割合のドロップ波長のパスとの間で切り換えを行う入力波長群波長／ドロップ波長間マトリックススイッチと、(b-2) 前記複数組の入力波長群をそれぞれ構成する各波長のパスと前記複数組の出力波長群をそれぞれ再構成する各波長のパスとの間で切り換えを行う入力波長群波長／出力波長群波長間マトリックススイッチと、(b-3) 前記所定割合の加入波長のパスと前記複数組の出力波長群をそれぞれ再構成する各波長のパスとの間で切り換えを行う加入波長／出力波長群波長間マトリックススイッチとを、含むことから、波長レベルから電気レベルへの切り換えを行うドロップ用のマトリックスと、入力した波長群を構成する波長単位でルーティングを行うマトリックスと、電気レベルから波長レベルへの切り換えを行うアッド用マトリックスとが機能別に設けられているので、本来的に不要なｄｒｏｐ( ドロップ) 出力に対するａｄｄ( 加入) 入力に対応するマトリックス領域が解消されて、全体としてマトリックススイッチの規模が大幅に小さくなる。したがって、小型且つ安価な光パスクロスコネクト装置が得られる。
【００２１】
また、請求項２に係る発明の光パスネットワークの光パスクロスコネクト装置によれば、(c) 入力側波長群パスの数および出力側波長群パスの数をそれぞれＫ、１つの波長群パス内の波長群の数をＭ、１つの波長群内の波長数をＮ、前記電気レイヤに対するａｄｄ／ｄｒｏｐ率をｚ( 但し、ｚは０〜１) としたとき、(c-1) 前記入力波長群波長／ドロップ波長間マトリックススイッチは、ＫＭＮ個の入力とｚＫＭＮ個の出力とを有するものであり、(c-2) 前記入力波長群波長／出力波長群波長間マトリックススイッチは、Ｋ個の入力とＫ個の出力とを有するＭＮ個のマトリックススイッチから成るものであり、(c-2) 前記加入波長／出力波長群波長間マトリックススイッチは、ｚＫＭＮ個の入力とＫＭＮ個の出力とを有するものであることから、全体としてマトリックススイッチの規模が小型な光パスクロスコネクト装置が得られる。
【００２２】
また、請求項３に係る発明の光パスネットワークの光パスクロスコネクト装置によれば、(d) 前記入力側波長群パスの数および出力側波長群パスの数をそれぞれＫ、１つの波長群パス内の波長群の数をＭ、１つの波長群内の波長数をＮ、前記電気レイヤに対するａｄｄ／ｄｒｏｐ率をｚ( 但し、ｚは０〜１) としたとき、(d-1) 前記入力波長群波長／ドロップ波長間マトリックススイッチは、Ｋ個の入力とｚＫ個の出力とを有するＭＮ個のマトリックススイッチから成るものであり、(d-2) 前記入力波長群波長／出力波長群波長間マトリックススイッチは、Ｋ個の入力とＫ個の出力とを有するＭＮ個のマトリックススイッチから成るものであり、(d-3) 前記加入波長／出力波長群波長間マトリックススイッチは、ｚＫ個の入力とＫ個の出力とを有するＭＮ個のマトリックススイッチから成るものであることから、全体としてマトリックススイッチの規模が一層小型な光パスクロスコネクト装置が得られる。
【００２３】
また、請求項４に係る発明の光パスネットワークの光パスクロスコネクト装置によれば、(e) 前記入力側波長群パスの数および出力側波長群パスの数をそれぞれＫ、１つの波長群パス内の波長群の数をＭ、１つの波長群内の波長数をＮ、前記電気レイヤに対するａｄｄ／ｄｒｏｐ率をｚ( 但し、ｚ＝１) としたとき、(e-1) 前記入力波長群波長／ドロップ波長間マトリックススイッチは、１個の入力と２個の出力とを有するＫＭＮ個のスイッチから成るものであり、(e-2) 前記入力波長群波長／出力波長群波長間マトリックススイッチは、Ｋ個の入力とＫ個の出力とを有するＭＮ個のマトリックススイッチから成るものであり、(e-3) 前記加入波長／出力波長群波長間マトリックススイッチは、２個の入力と１個の出力とを有するＫＭＮ個のスイッチから成るものであることから、ドロップ用スイッチおよびアッド用スイッチが出力側を選べないものの、全体としてマトリックススイッチの規模がさらに一層小型となる利点がある。
【００２４】
また、請求項５に係る発明の光パスネットワークの階層化光パスクロスコネクト装置によれば、バンドクロスコネクト部が、(g-1) 前記複数の入力波長群パスと前記所定割合のドロップ波長群のパスとの間で切り換えを行う入力波長群／ドロップ波長群間マトリックススイッチと、(g-2) 前記複数の入力波長群パスと前記複数の出力波長群パスとの間で切り換えを行う入力波長群／出力波長群間マトリックススイッチと、(g-3) 前記所定割合の加入波長群のパスと前記複数の出力波長群パスとの間で切り換えを行う加入波長群／出力波長群間マトリックススイッチとを、含むことから、全体としてマトリックススイッチの規模が大幅に小さくなる。したがって、小型且つ安価な階層化光パスクロスコネクト装置が得られる。
【００２５】
また、請求項６に係る発明の光パスネットワークの階層化光パスクロスコネクト装置によれば、(h) 前記入力側波長群パスの数および出力側波長群パスの数をそれぞれＫ、１つの波長群パス内の波長群の数をＭ、１つの波長群内の波長数をＮ、前記波長クロスコネクト部に対するａｄｄ／ｄｒｏｐ率をｙ( 但し、ｙは０〜１) としたとき、(h-1) 前記入力波長群／ドロップ波長群間マトリックススイッチは、ＫＭ個の入力とｙＫＭ個の出力とを有するものであり、(h-2) 前記入力波長群／出力波長群間マトリックススイッチは、Ｋ個の入力とＫ個の出力とを有するＭ個のマトリックススイッチから成るものであり、(h-3) 前記加入波長群／出力波長群間マトリックススイッチは、ｙＫＭ個の入力とＫＭ個の出力とを有するものであることから、全体としてマトリックススイッチの規模が小型な階層化光パスクロスコネクト装置が得られる。
【００２６】
また、請求項７に係る発明の光パスネットワークの階層化光パスクロスコネクト装置によれば、(i) 前記波長クロスコネクト部は、(i-1) 前記バンドクロスコネクト部から該波長クロスコネクト部へドロップされた所定数のドロップ波長群を構成する波長のパスと電気レイヤへドロップさせる所定数のドロップ波長のパスとの間で切り換えを行うドロップ波長群波長／ドロップ波長間マトリックススイッチと、(i-2) 前記所定数のドロップ波長群を構成する波長のパスと前記所定数の加入波長群を構成する波長のパスとの間で切り換えを行うドロップ波長群波長／加入波長群波長間マトリックススイッチと、(i-3) 前記電気レイヤからの所定数の加入波長のパスと前記所定数の加入波長群を構成する波長のパスとの間で切り換えを行う加入波長／加入波長群波長間マトリックススイッチとを、含むことから、全体としてマトリックススイッチの規模が一層小型な階層化光パスクロスコネクト装置が得られる。
【００２７】
また、請求項８に係る発明の光パスネットワークの階層化光パスクロスコネクト装置によれば、(j)前記電気レイヤに対するａｄｄ／ｄｒｏｐ率をｚ( 但し、ｚは０〜１) としたとき、(j-1)前記ドロップ波長群波長／ドロップ波長間マトリックススイッチは、ｙＫＭＮ個の入力とｚｙＫＭＮ個の出力とを有するものであり、(j-2)前記ドロップ波長群波長／加入波長群波長間マトリックススイッチは、ｙＫＭ個の入力とｙＫＭ個の出力とを有するＮ個のマトリックススイッチから成るものであり、(j-3)前記加入波長／加入波長群波長間マトリックススイッチは、ｚｙＫＭＮ個の入力とｙＫＭＮ個の出力とを有するものであることから、全体としてマトリックススイッチの規模が一層小型な階層化光パスクロスコネクト装置が得られる。
【００２８】
また、請求項９に係る発明の光パスネットワークの階層化光パスクロスコネクト装置によれば、(k）前記電気レイヤに対するａｄｄ／ｄｒｏｐ率をｚ( 但し、ｚ＝１) としたとき、(k-1）前記ドロップ波長群波長／ドロップ波長間マトリックススイッチは、１個の入力と２個の出力とを有するｙＫＭＮ個のスイッチから成るものであり、(k-2）前記入力波長群波長／出力波長群波長間マトリックススイッチは、ｙＫＭ個の入力とｙＫＭ個の出力とを有するＮ個のマトリックススイッチから成るものであり、(k-3）前記加入波長／出力波長群波長間マトリックススイッチは、２個の入力と１個の出力とを有するｙＫＭＮ個のスイッチから成るものであることから、電気レイヤとの間でドロップ用スイッチおよびアッド用スイッチが出力側を選べないものの、全体としてマトリックススイッチの規模がさらに一層小型となる利点がある。
【図面の簡単な説明】
【００２９】
【図１】本発明の一実施例の光パスネットワークの光パスクロスコネクト装置の要部構成を説明するための概念図である。
【図２】図１の光パスクロスコネクト装置に入力される複数の波長群のうち、１つの波長群を構成する複数の波長の波長軸上の配置を示す連続配置型の波長群を説明する図である。
【図３】図１の光合波分波器に含まれる光パスクロスコネクト装置に入力される複数の波長群のうち、１つの波長群を構成する複数の波長の波長軸上の配置を示す分散配置型の波長群を説明する図である。
【図４】図１の光パスクロスコネクト装置において、波長光合波分波器を構成するアレイ導波路格子の構成を説明する斜視図である。
【図５】図１の光パスクロスコネクト装置において、波長ドロップ用マトリックススイッチ、方路切換用マトリックススイッチ、波長加入用マトリックススイッチのクロスポイントに用いられる光スイッチの一例を説明する図である。
【図６】本発明の他の実施例である光パスネットワークの光パスクロスコネクト装置の要部構成を説明するための概念図である。
【図７】本発明の他の実施例である光パスネットワークの光パスクロスコネクト装置の要部構成を説明するための概念図である。
【図８】本発明の他の実施例である光パスネットワークの階層化光パスクロスコネクト装置の要部構成を説明するための概念図である。
【図９】本発明の他の実施例である光パスネットワークの階層化光パスクロスコネクト装置の要部構成を説明するための概念図である。
【図１０】図９の実施例５において、波長周回性を有しないアレイ導波路格子から構成された波長光合波分波器の入出力作動を説明する図である。
【図１１】光パスクロスコネクト装置において、入力ファイバの本数と全体としてのマトリックススイッチのクロスポイント数との関係を説明する図である。
【図１２】従来の階層化光パスクロスコネクト装置の構成を説明する図である。
【発明を実施するための形態】
【実施例１】
【００３０】
図１は、本発明の一実施例の光パスクロスコネクト装置１０であって、１階層の構成例を示している。この光パスクロスコネクト装置１０は光パスネットワークの中継ノードとして配置されるものであり、入力側波長群パスとして機能する所定数たとえばＫ本の入力側光ファイバＦi1、Ｆi2、・・・ＦiKをそれぞれ介して入力されたＫ組の波長群ＷＢ1 〜ＷＢK を、そのままの内容で、或いは入力された波長群ＷＢ1 〜ＷＢK に含まれる波長の一部から再合波し、出力側波長群パスとして機能する所定数たとえばＫ本の出力側光ファイバＦo1、Ｆo1、・・・ＦoKへ出力するようになっている。本実施例では、所定の通信波長帯のたとえば１００ＧＨｚ毎に分割された複数の波長チャネル(wave channel or light path)にそれぞれ対応するＮ個の複数波長の光が合波されることにより１つの波長分割多重（ＷＤＭ：Wavelength Division Multiplexing）光すなわち１つの波長群ＷＢが構成され、その１つの波長群ＷＢがＭ個ずつ１組で各１本の波長群伝送パスすなわち１本の光ファイバ毎に伝送される。すなわち、Ｋ組の波長群ＷＢ11〜ＷＢ1M、ＷＢ21〜ＷＢ2M、・・・ＷＢK1〜ＷＢKMが入力側光ファイバＦi1、Ｆi2、・・・ＦiKをそれぞれ介して並列に入力され、ルーティングされた新たなＫ組の波長群ＷＢ11〜ＷＢ1M、ＷＢ21〜ＷＢ2M、・・・ＷＢK1〜ＷＢKMが出力側光ファイバＦo1、Ｆo2、・・・Ｆokをそれぞれ介して並列に出力される。上記Ｋ、Ｍ、Ｎは整数であり、たとえば、Ｋ＝８、Ｍ＝８、Ｎ＝１２である。
【００３１】
ここで、たとえば波長群Ｂ11に含まれる波長チャネルの波長はλ111 〜λ11N 、波長群Ｂ12に含まれる波長チャネルの波長はλ121 〜λ12N 、波長群Ｂ1Mに含まれる波長チャネルの波長はλ1M1 〜λ1MN 、波長群ＢKMに含まれる波長チャネルの波長はλKM1 〜λKMN となるが、それらの波長たとえばλ121 〜λ12N は、相互に順次連続的に増加するものであってもよいし、分散的なものであってもよい。図２および図３は、各波長群を構成する波長ラムダの構成例を示している。図２の例では、連続する波長のうちから選択された互いに連続する１６波長毎に１つの波長群が設定されている。図３の例では、連続する波長のうちから分散的に選択された１６波長から１つの波長群が設定されている。
【００３２】
図１の光パスクロスコネクト装置１０は、Ｋ個の入力側光合波分波器Ａ1 〜ＡK と、１個の波長ドロップ用マトリックススイッチＭＳ１と、Ｋ×ＫＭＮ個の波長方路切換用マトリックススイッチＭＳ２と、１個のアッド用マトリックススイッチＭＳ３と、Ｋ個の出力側光合波分波器Ｂ1 〜ＢK とを、備えている。本実施例では、上記Ｋ個の入力側光合分波器Ａ1 〜ＡK が合波器として機能する。また、上記Ｋ個の出力側合分波器Ｂ1 〜ＢK が合波器として機能する。また、上記波長ドロップ用マトリックススイッチＭＳ１が、複数の入力波長群をそれぞれ構成する各波長のパスと前記所定数のドロップ波長のパスとの間で切り換えを行う入力波長群波長／ドロップ波長間マトリックススイッチとして機能する。また、上記ＭＮ個のＫ×Ｋ波長方路切換用Ｋ×ＫマトリックススイッチＭＳ２が、複数の入力波長群をそれぞれ構成する各波長のパスと前記複数の出力波長群をそれぞれ再構成する各波長のパスとの間で切り換えを行う入力波長群波長／出力波長群波長間マトリックススイッチとして機能する。また、上記１個の波長アッド用マトリックススイッチＭＳ３が、所定数の加入波長のパスと前記複数の出力波長群をそれぞれ再構成する各波長のパスとの間で切り換えを行う加入波長／出力波長群波長間マトリックススイッチとして機能する。
【００３３】
上記入力側光合波分波器Ａ1 〜ＡK および出力側光合波分波器Ｂ1 〜ＢK は、逆方向に用いられる点で相違するが互いに同様に構成されているので、以下に、入力側光合波分波器Ａ1 〜ＡK について説明する。各入力側光合波分波器Ａ1 〜ＡK は、たとえば各一対のアレイ導波路格子ＡＷＧから構成され、各入力側光ファイバＦi1、Ｆi2、・・・ＦiKを介してそれぞれ１組ずつ入力された複数組の波長群ＷＢ11〜ＷＢ1M、ＷＢ21〜ＷＢ2M、・・・ＷＢK1〜ＷＢKMを波長群単位で分波するとともに、その分波された波長群をさらに波長単位でＭＮ個の波長にそれぞれ分波して、ＭＮ個の端子およびパスから、１個の波長ドロップ用マトリックススイッチＭＳ１およびＭＮ個の波長方路切換用Ｋ×ＫマトリックススイッチＭＳ２へそれぞれ出力する。
【００３４】
上記アレイ導波路格子ＡＷＧは、たとえば図４に示す良く知られたものであり、相互に光路長差を有する複数本のアレイ導波路２０と、入力ポート１６をそれぞれ有する複数本の入力側導波路２２と、その入力側導波路２２とアレイ導波路２０との間に設けられ、入力ポート１６に入力された波長分割多重光ＷＤＭを拡散により分配して複数本のアレイ導波路２０の入力側端部にそれぞれ入力させる入力レンズ導波路２４と、光接続路１８にそれぞれ接続された複数本の出力側導波路２６と、その出力側導波路２６とアレイ導波路２０との間に設けられ、複数本のアレイ導波路２０の出力側端部から出力された波長分割多重光ＷＤＭに含まれる複数の波長チャネル（たとえば１００ＧＨｚずつ相違する中心波長位置が相違する互いに異なる波長の複数の光信号）を複数本のアレイ導波路２０の相互の光路長差に基づく回折により波長毎に個別に分光するとともに出力側導波路２６の端部に集光させることにより予め設定された出力側導波路２６へそれぞれ分波し、別々の分波により１つの出力側導波路２６の端部に集光された光を合波して出力させる出力レンズ導波路２８とを備えている。
【００３５】
上記一対のアレイ導波路格子ＡＷＧの一方のアレイ導波路格子ＡＷＧ１は、共通の光ファイバ( パス) で伝送される複数の波長群( 波長多重光) ＷＢを充分な信号強度で波長群単位で分波するようにアレイ導波路２０および出力レンズ導波路２８等が設定されており、他方のアレイ導波路格子ＡＷＧ２では、使用される波長チャネルλ1 乃至λK を充分な信号強度で個別に分光できる充分な分解能を備えるように、アレイ導波路２０および出力レンズ導波路２８等が設計されている。上記アレイ導波路格子ＡＷＧは、波長分割多重光ＷＤＭが少なくとも波長チャネル毎の合波分波に必要な波長の分解能で分波および合波を可能とする性能を有するとともに、１個の入力ポートに対して入力される波長分割多重光ＷＤＭに含まれる複数の波長チャネルを波長毎に分離する波長分離機能と、複数の入力ポートに対して入力位置が１つずれることにより出力ポートにおいて同じ波長が現れる位置が順次１つずつずれて出力する特性（機能）とを有する。さらに、入力位置が１つずつずれることによって出力位置が周回的に１つずつずれるようにすることも可能であり、これを波長周回性という。このような入力と出力との関係が可逆的に成立するので、光の伝播方向を逆にすれば波長群光合波器としても機能できる。
【００３６】
ルータ等が設けられて電気的信号と波長単位の光信号との間の信号変換を行うための電気レイヤＥＬとの間の予め設定したａｄｄ／ｄｒｏｐ率ｚ( ＝０〜１の任意数、すなわち１以下の所定値に制限) とすると、波長ドロップ用マトリックススイッチＭＳ１は、Ｋ個の各入力側光合波分波器Ａ1 〜ＡK からＭＮ個の波長をそれぞれ受けるための入力数ＫＭＮと、電気レイヤＥＬへドロップさせるためドロップ波長の数すなわち予め設定された上記ａｄｄ／ｄｒｏｐ率ｚをその入力数ＫＭＮに乗算した出力数ｚＫＭＮとを有するマトリックススイッチである。このため、波長ドロップ用マトリックススイッチＭＳ１は、図１の黒点で示されるように、ＫＭＮ×ｚＫＭＮ個のクロスポイント毎にＫＭＮ×ｚＫＭＮ個の光スイッチＰＳを備えている。
【００３７】
この光スイッチＰＳは、たとえば図５に示すように、第１ポートＰ１から第３ポートＰ３に至る第１アーム導波路３６と、第２ポートＰ２から第４ポートＰ４に至る第２アーム導波路３８と、それら第１アーム導波路３６および第２アーム導波路３８が相互に接近させられることにより構成された１対の３ｄＢ方向性結合器４０および４２と、それら１対の３ｄＢ方向性結合器４０および４２の間において第１アーム導波路３６および第２アーム導波路３８上に設けられた薄膜ヒータ４４および４６とを備えることにより基本的に構成されている。この光スイッチＰＳでは、上記第１アーム導波路３６および第２アーム導波路３８によってマッハツェンダ干渉計が基本的に構成されており、第１アーム導波路３６および第２アーム導波路３８の光路長差ΔＬが零であるときは、入力光は第１ポートＰ１から第４ポートＰ４へ、或いは第２ポートＰ２から第３ポートＰ３へのクロス経路を経て出力されるが、光路長差ΔＬが半波長であるときは入力光は第１ポートＰ１から第３ポートＰ３へ、或いは第２ポートＰ２から第４ポートＰ４へのバー経路を経て出力される性質があるので、光路差変更器として機能する上記薄膜ヒータ４４および４６で発生させる熱による熱光学効果を用いて行路長差ΔＬを制御することにより、入力信号を第３ポートＰ３または第４ポートＰ４のいずれかから出力されるように制御できるようになっている。すなわち、１入力２出力或いは２入力１出力の光スイッチ（１×２ＳＷ）或いは（２×１ＳＷ）が構成される。
【００３８】
上記光スイッチＰＳは、それを含むマトリックススイッチＭＳ１、ＭＳ２、ＭＳ３を構成する光導波路、入力側光合波分波器Ａ1 〜ＡK および出力側光合波分波器Ｂ1 〜ＢK を構成する複数のアレイ導波路格子ＡＷＧおよびそれらアレイ導波路格子ＡＷＧを相互に接続する光導波路( パス) 、マトリックススイッチＭＳ１、ＭＳ２、ＭＳ３の相互間、それらと入力側光合波分波器Ａ1 〜ＡK および出力側光合波分波器Ｂ1 〜ＢK との間を接続する光導波路( パス) と共に、たとえば石英若しくはシリコン製の１乃至複数個の基板上において石英系プレーナ光波回路（ＰＬＣ）により一体的なモノリシック構造とされ得る。この場合には、光パスクロスコネクト装置１０が大幅に小型化される。
【００３９】
図１へ戻って、ＭＮ個の各波長方路切換用マトリックススイッチＭＳ２は、Ｋ個の各入力側光合波分波器Ａ1 〜ＡK からの１波長たとえば波長λ１の光信号をそれぞれ受けるための入力数Ｋと、Ｋ個の各出力側光合波分波器Ｂ1 〜ＢK へ波長λ１の光信号をそれぞれ出力するための出力数Ｋとをそれぞれ有する。これら各波長方路切換用マトリックススイッチＭＳ２は、Ｋ×Ｋ個のクロスポイント毎にＫ×Ｋ個の光スイッチＰＳをそれぞれ備えている。このＭＮ個の各波長方路切換用マトリックススイッチＭＳ２は、主として、所定の方面へ伝送する新たなＫＭ個の波長群を生成するために、ＫＭ個の波長群ＷＢ11〜ＷＢ1M、ＷＢ21〜ＷＢ2M、・・・ＷＢK1〜ＷＢKMから分波された波長を受けて合波することにより、Ｋ個の各出力側光合波分波器Ｂ1 〜ＢK へ所定の波長をそれぞれ出力する。
【００４０】
また、図１において、１個の波長アッド用マトリックススイッチＭＳ３は、波長ドロップ用マトリックススイッチＭＳ１と同様の規模であり、電気レイヤＥＬから加えられるｚＫＭＮ個の加入波長を受けるためのｚＫＭＮ個の入力数と、それぞれＫ個の各出力側光合波分波器Ｂ1 〜ＢK へＫＭＮ個の波長を出力するための出力数ＫＭＮとを有する。波長ドロップ用マトリックススイッチＭＳ１は、図１の黒点で示されるＫＭＮ×ｚＫＭＮ個のクロスポイント毎に、ＫＭＮ×ｚＫＭＮ個の光スイッチＰＳを備えている。このため、波長アッド用マトリックススイッチＭＳ３は、図１の黒点で示されるように、ｚＫＭＮ×ＫＭＮ個のクロスポイント毎にｚＫＭＮ×ＫＭＮ個の光スイッチＰＳを備えている。
【００４１】
したがって、本実施例の波長ドロップ用マトリックススイッチＭＳ１および波長アッド用マトリックススイッチＭＳ３は、合計で、２ｚＫ２Ｍ２Ｎ２個のクロスポイント数すなわち光スイッチＰＳを備えている。
【００４２】
以上のように構成された本実施例の光パスクロスコネクト装置１０では、波長クロスコネクト部ＷＸＣが、ＫＭ個の入力波長群ＷＢ11〜ＷＢ1M、ＷＢ21〜ＷＢ2M、・・・ＷＢK1〜ＷＢKMをそれぞれ構成するＫＭＮ個の各波長のパスと所定数すなわちｚＫＭＮ個のドロップ波長のパスとの間で切り換えを行う波長ドロップ用マトリックススイッチ( 入力波長群波長／ドロップ波長間マトリックススイッチ) ＭＳ１と、上記ＫＭ個の入力波長群をそれぞれ構成するＫＭＮ個の各波長のパスとＫＭ個の出力波長群をそれぞれ再構成するためのＫＭＮ個の各波長のパスとの間で切り換えを行う波長方路切換用マトリックススイッチ( 入力波長群波長／出力波長群波長間マトリックススイッチ) ＭＳ２と、所定数すなわちｚＫＭＮ個の加入波長のパスとＫＭ個の出力波長群をそれぞれ再構成するためのＫＭＮ個の各波長のパスとの間で切り換えを行う波長アッド用マトリックススイッチ( 加入波長／出力波長群波長間マトリックススイッチ) ＭＳ３とを、含むことから、波長レベルＷＬＬから電気レベルＥＬへの切り換えを行う波長ドロップ用のマトリックススイッチＭＳ１と、入力した波長群を構成する波長単位でルーティングを行う波長方路切換用マトリックススイッチＭＳ２と、電気レベルＥＬから波長レベルＷＬＬへの切り換えを行う波長アッド用マトリックススイッチＭＳ３とが機能別に設けられているので、本来的に不要なｄｒｏｐ( ドロップ) 出力に対するａｄｄ( 加入) 入力に対応するマトリックス領域が解消されて、全体としてマトリックススイッチの規模が大幅に小さくなるので、小型且つ安価な光パスクロスコネクト装置１０が得られる。
【００４３】
また、本実施例の光パスクロスコネクト装置１０によれば、波長ドロップ用マトリックススイッチＭＳ１は、ＫＭＮ個の入力とｚＫＭＮ個の出力とを有するものであり、波長方路切換用マトリックススイッチＭＳ２は、Ｋ個の入力とＫ個の出力とを有するＭＮ個のマトリックススイッチから成るものであり、波長アッド用マトリックススイッチＭＳ３は、ｚＫＭＮ個の入力とＫＭＮ個の出力とを有するものであることから、たとえばＫ＝８、Ｍ＝８、Ｎ＝１２、ｚ＝０．５とした場合には、１個の７６８×３８４の波長ドロップ用マトリックススイッチＭＳ１と、９６個の８×８の波長方路切換用マトリックススイッチＭＳ２と、１個の３８４×７６８の波長アッド用マトリックススイッチＭＳ３とから構成されることで、全体としてマトリックススイッチの規模が小型な光パスクロスコネクト装置１０が得られる。
【実施例２】
【００４４】
次に本発明の他の実施例を説明する。なお、以下の説明において、実施例相互に共通する部分には同一の符号を付して説明を省略する。
【００４５】
図６に示す光パスクロスコネクト装置５０は、図１の光パスクロスコネクト装置１０に対して、波長ドロップ用マトリックススイッチＭＳ１および波長アッド用マトリックススイッチＭＳ３の構成が相違するが、他は同様に構成されている。
【００４６】
本実施例の波長ドロップ用マトリックススイッチＭＳ１および波長アッド用マトリックススイッチＭＳ３は、図１の実施例に比較して、波長毎に分割されることにより各ＭＮ個のＫ×ｚＫのマトリックススイッチからそれぞれ構成されている。ＭＮ個の各波長ドロップ用マトリックススイッチＭＳ111 〜ＭＳ1MN は、Ｋ×ｚＫのクロスポイント毎にＫ×ｚＫ個の光スイッチＰＳをそれぞれ備えている。同様に、ＭＮ個の各波長アッド用マトリックススイッチＭＳ311 〜ＭＳ3MN は、ｚＫ×Ｋ個のクロスポイント毎にｚＫ×Ｋ個の光スイッチＰＳをそれぞれ備えている。したがって、本実施例の波長ドロップ用マトリックススイッチＭＳ１および波長アッド用マトリックススイッチＭＳ３は、合計で、２ｚＫ２ＭＮ個のクロスポイント数すなわち光スイッチＰＳを備えている。
【００４７】
本実施例においても、図１の実施例と同様に、波長レベルＷＬＬから電気レベルＥＬへの切り換えを行う波長ドロップ用マトリックススイッチＭＳ１と、入力した波長群を構成する波長単位でルーティングを行う波長方路切換用マトリックススイッチＭＳ２と、電気レベルＥＬから波長レベルＷＬＬへの切り換えを行う波長アッド用マトリックススイッチＭＳ３とが機能別に設けられているので、本来的に不要なｄｒｏｐ( ドロップ) 出力に対するａｄｄ( 加入) 入力に対応するマトリックス領域が解消されて、全体としてマトリックススイッチの規模を大幅に小さくなるので、小型且つ安価な光パスクロスコネクト装置５０が得られる。また、本実施例によれば、波長ドロップ用マトリックススイッチＭＳ１および波長アッド用マトリックススイッチＭＳ３は、ＭＮ個の小さな波長ドロップ用マトリックススイッチＭＳ111 〜ＭＳ1MN および波長ドロップ用マトリックススイッチＭＳ311 〜ＭＳ3MN からそれぞれ構成されているので、合計で、２ｚＫ２ＭＮ個のクロスポイント数すなわち光スイッチＰＳを備えているため、２ｚＫ２Ｍ２Ｎ２個のクロスポイント数すなわち光スイッチＰＳを備えている実施例１の波長ドロップ用マトリックススイッチＭＳ１および波長アッド用マトリックススイッチＭＳ３に比較して、クロスポイント数すなわち光スイッチＰＳが大幅に少なくされ、一層、小型且つ安価な光パスクロスコネクト装置５０が得られる。
【実施例３】
【００４８】
図７に示す光パスクロスコネクト装置６０は、図１の光パスクロスコネクト装置１０に対して、波長ドロップ用マトリックススイッチＭＳ１および波長アッド用マトリックススイッチＭＳ３の構成が相違するが、他は同様に構成されている。
【００４９】
本実施例では、ａｄｄ／ｄｒｏｐ率ｚを１と設定されており、波長ドロップ用マトリックススイッチＭＳ１および波長アッド用マトリックススイッチＭＳ３は、図１の実施例に比較して、波長毎に分割されることにより各ＫＭＮ個の１×２のマトリックススイッチおよび２×１のマトリックススイッチ、すなわち１×２および２×１の光スイッチＰＳからそれぞれ構成されている。したがって、本実施例の波長ドロップ用マトリックススイッチＭＳ１および波長アッド用マトリックススイッチＭＳ３は、合計で、２ＫＭＮ個のクロスポイント数すなわち光スイッチＰＳを備えている。
【００５０】
本実施例の光パスクロスコネクト装置６０においても、図１の実施例と同様に、波長レベルＷＬＬから電気レベルＥＬへの切り換えを行う波長ドロップ用マトリックスＭＳ１と、入力した波長群を構成する波長単位でルーティングを行う波長方路切換用マトリックスＭＳ２と、電気レベルＥＬから波長レベルＷＬＬへの切り換えを行う波長アッド用マトリックスＭＳ３とが機能別に設けられているので、本来的に不要なｄｒｏｐ( ドロップ) 出力に対するａｄｄ( 加入) 入力に対応するマトリックス領域が解消されて、全体としてマトリックススイッチの規模が大幅に小さくなるので、小型且つ安価な光パスクロスコネクト装置６０が得られる。
【００５１】
また、本実施例の光パスクロスコネクト装置６０によれば、電気レイヤＥＬへドロップ波長が単にドロップさせられるだけでドロップ先のポート或いはパスを選択できない点で若干使用形態が制限されるが、波長ドロップ用マトリックススイッチＭＳ１および波長アッド用マトリックススイッチＭＳ３は、ＫＭＮ個の最少の１×２および２×１の光スイッチＰＳからそれぞれ構成されているので、合計で、２ＫＭＮ個のクロスポイント数すなわち光スイッチＰＳを備えているため、２ｚＫ２Ｍ２Ｎ２個のクロスポイント数すなわち光スイッチＰＳを備えている実施例１の波長ドロップ用マトリックススイッチＭＳ１および波長アッド用マトリックススイッチＭＳ３に比較して、クロスポイント数すなわち光スイッチＰＳが大幅に少なくされ、一層、小型且つ安価な光パスクロスコネクト装置６０が得られる。
【実施例４】
【００５２】
図１乃至図７に示す光パスクロスコネクト装置１０、５０、６０は、波長レベルＷＬＬにおいて波長単位でルーティングする１階構成の光パスクロスコネクト装置であったが、本実施例の図８に示す光パスクロスコネクト装置７０は、波長群レベルＷＢＬにおいて波長群単位でルーティングするとともに波長レベルＷＬＬにおいて波長単位でルーティングする２階構成の階層化光パスクロスコネクト装置である点で相違している。
【００５３】
図８において、光パスクロスコネクト装置７０は、入力波長群パスとして機能するＫ本の入力側光ファイバＦi1、Ｆi2、・・・ＦiKを介して入力されたＫ群の波長群ＷＢ11〜ＷＢ1M、ＷＢ21〜ＷＢ2M、・・・ＷＢK1〜ＷＢKMを、波長群単位でルーティングを行ってＫ本の出力側光ファイバＦo1、Ｆo2、・・・ＦoKへ出力するとともに、それら入力されたＫ群の波長群ＷＢ11〜ＷＢ1M、ＷＢ21〜ＷＢ2M、・・・ＷＢK1〜ＷＢKMのうちの所定数のドロップ波長群をドロップさせ且つ所定数の加入波長群を加入して上記出力側光ファイバＦo1、Ｆo2、・・・Ｆokのいずれかから出力させるバンドクロスコネクト部ＢＸＣと、予め設定されたｄｒｏｐ／ａｄｄ率ｙ( ０〜１の任意数) でドロップされた所定数の波長群をそれぞれ構成する複数の波長を波長単位でルーティングを行って前記他の所定数の波長群を構成する波長クロスコネクト部ＷＸＣとを、備える。
【００５４】
バンドクロスコネクト部ＢＸＣは、波長群レベルＷＢＬにおいて、各入力側光ファイバＦi1、Ｆi2、・・・ＦiKを介してそれぞれ入力された各１群の波長群たとえば波長群ＷＢ11〜ＷＢ1Mから波長群単位でＷＢ11、ＷＢ12、・・ＷＢ1Mへ分波するＫ個の入力側光合波分波器ＡＢ1 〜ＡＢK と、複数すなわちＫ本の入力側光ファイバＦi1、Ｆi2、・・・ＦiKと所定数すなわち予め設定されたｄｒｏｐ／ａｄｄ率ｙで波長レベルＷＬＬへドロップさせられるｙＫＭ個のドロップ波長群のパスとの間で切り換えを行うＭ個の波長群ドロップ用マトリックススイッチ( 入力波長群／ドロップ波長群間マトリックススイッチ) ＢＭＳ１と、複数すなわちＫ本の入力側光ファイバＦi1、Ｆi2、・・・ＦiKと複数すなわちＫ本の出力側光ファイバＦo1、Ｆo2、・・・ＦoKとの間で切り換えを行うＭ個の波長群方路切換用マトリックススイッチ( 入力波長群／出力波長群間マトリックススイッチ) ＢＭＳ2 と、上記所定数すなわち予め設定されたｄｒｏｐ／ａｄｄ率ｙで波長レベルＷＬＬから加入されるｙＫＭ個の加入波長群と出力側光ファイバＦo1、Ｆo2、・・・ＦoKとの間で切り換えを行うＭ個の波長群加入用マトリックススイッチ( 加入波長群／出力波長群間マトリックススイッチ) ＢＭＳ３と、上記波長群方路切換用マトリックススイッチＢＭＳ2 および波長群加入用マトリックススイッチＢＭＳ３からそれぞれ出力された波長群をＭ個ずつ合波してＫ群の波長群を各出力側光ファイバＦo1、Ｆo2、・・・ＦoKへ出力するＫ個の出力側光合波分波器ＢＢ1 〜ＢＢK とを、備えている。
【００５５】
上記Ｋ個の入力側光合波分波器ＡＢ1 〜ＡＢK の出力端子( 出力パス) 数および上記Ｋ個の出力側光合波分波器ＢＢ1 〜ＢＢK の入力端子( 入力パス) 数は、波長群ドロップ用マトリックススイッチＢＭＳ１の数および波長群加入用マトリックススイッチＢＭＳ３の数と同じであり、Ｍ個である。
【００５６】
上記Ｍ個の波長群ドロップ用マトリックススイッチＢＭＳ１は、ＫＭ個の入力とｙＫＭ個の出力とを有するマトリックススイッチから成るものであり、ＫＭ×ｙＫＭ個のクロスポイント毎にＫＭ×ｙＫＭ個の光スイッチＰＳをそれぞれ備えている。上記Ｍ個の波長群方路切換用マトリックススイッチＢＭＳ２は、Ｋ個の入力とＫ個の出力とを有するマトリックススイッチから成るものであり、Ｋ×Ｋ個のクロスポイント毎にＫ×Ｋ個の光スイッチＰＳをそれぞれ備えている。上記Ｍ個の波長群加入用マトリックススイッチＢＭＳ３は、ｙＫＭ個の入力とＫＭ個の出力とを有するマトリックススイッチから成るものであり、ｙＫＭ×ＫＭ個のクロスポイント毎にｙＫＭ×ＫＭ個の光スイッチＰＳをそれぞれ備えている。
【００５７】
上記波長クロスコネクト部ＷＸＣは、波長群レベルＷＬＬにおいて、バンドクロスコネクト部ＢＸＣから波長クロスコネクト部ＷＸＣへドロップされた所定数すなわちｙＫＭ個のドロップ波長群をｙＫＭＮ個の波長へ波長単位で分波するｙＫＭ個の入力側光合波分波器ＡＷ1 〜ＡＷyKM と、分波されたｙＫＭＮ個の波長のパスと電気レイヤＥＬへドロップさせる所定数すなわちｙｚＫＭＮ個のドロップ波長のパスとの間で切り換えを行うために波長毎に設けられた波長数Ｎ個の波長ドロップ用マトリックススイッチ( ドロップ波長群波長／ドロップ波長間マトリックススイッチ) ＷＭＳ１と、ｙＫＭ個のドロップ波長群を構成する波長のパスとｙＫＭ個の加入波長群を構成する波長のパスとの間で切り換えを行う波長数Ｎ個の波長方路切換用マトリックススイッチ( ドロップ波長群波長／加入波長群波長間マトリックススイッチ）ＷＭＳ２と、電気レイヤＥＬからのｙｚＫＭＮ個の加入波長のパスと前記所定数の加入波長群を構成する波長のパスとの間で切り換えを行う波長数Ｎ個の波長加入用マトリックススイッチ( 加入波長／加入波長群波長間マトリックススイッチ) ＷＭＳ３と、上記波長方路切換用マトリックススイッチＷＭＳ２および波長加入用マトリックススイッチＷＭＳ３からそれぞれ出力された波長をＮ個ずつ合波して複数たとえばｙＫＭ個の加入波長群を出力するｙＫＭ個の出力側光合波分波器ＢＷ1 〜ＢＷyKM とを備えている。
【００５８】
上記ｙＫＭ個の入力側光合波分波器ＡＷ1 〜ＡＷyKM の出力端子( 出力パス) 数および上記ｙＫＭ個の出力側光合波分波器ＢＷ1 〜ＢＷyKM の入力端子( 入力パス) 数は、波長ドロップ用マトリックススイッチＷＭＳ１の数および波長加入用マトリックススイッチＷＭＳ３の数と同じであり、Ｎ個である。
【００５９】
上記Ｎ個の波長ドロップ用マトリックススイッチＷＭＳ１は、ｙＫＭＮ個の入力とｙｚＫＭＮ個の出力とを有するマトリックススイッチから成るものであり、ｙｚＫＭ×ｙＫＭ個のクロスポイント毎にｙｚＫＭ×ｙＫＭ個の光スイッチＰＳをそれぞれ備えている。上記Ｎ個の波長方路切換用マトリックススイッチＷＭＳ２は、ｙＫＭ個の入力とｙＫＭ個の出力とを有するマトリックススイッチから成るものであり、ｙＫＭ×ｙＫＭ個のクロスポイント毎にｙＫＭ×ｙＫＭ個の光スイッチＰＳをそれぞれ備えている。上記Ｎ個の波長加入用マトリックススイッチＷＭＳ３は、ｙＫＭ個の入力とｙｚＫＭ個の出力とを有するマトリックススイッチから成るものであり、ｙＫＭ×ｙｚＫＭ個のクロスポイント毎にｙＫＭ×ｙｚＫＭ個の光スイッチＰＳをそれぞれ備えている。
【００６０】
したがって、本実施例では、波長群レベルＷＢＬのバンドクロスコネクト部ＢＸＣにおいて、Ｍ個の波長群ドロップ用マトリックススイッチＢＭＳ１およびＭ個の波長群加入用マトリックススイッチＢＭＳ３は、合計で、２ｙＫ２Ｍ２個のクロスポイント数すなわち光スイッチＰＳを備えている。また、波長レベルＷＬＬの波長クロスコネクト部ＷＸＣにおいて、Ｎ個の波長ドロップ用マトリックススイッチＷＭＳ１およびＮ個の波長加入用マトリックススイッチＷＭＳ３は、２ｚｙ２Ｋ２Ｍ２Ｎ個のクロスポイント数すなわち光スイッチＰＳを備えている。
【００６１】
以上のように構成された本実施例の光パスクロスコネクト装置７０では、バンドクロスコネクト部ＢＸＣが、波長群レベルＷＢＬにおいて、Ｋ本の入力側光ファイバＦi1、Ｆi2、・・・ＦiKと所定数すなわち予め設定されたｄｒｏｐ／ａｄｄ率ｙで波長レベルＷＬＬへドロップさせられるｙＫＭ個のドロップ波長群のパスとの間で切り換えを行うＭ個の波長群ドロップ用マトリックススイッチＢＭＳ１と、Ｋ本の入力側光ファイバＦi1、Ｆi2、・・・ＦiKとＫ本の出力側光ファイバＦo1、Ｆo2、・・・ＦoKとの間で切り換えを行うＭ個の波長群方路切換用マトリックススイッチＢＭＳ2 と、上記所定数すなわち予め設定されたｄｒｏｐ／ａｄｄ率ｙで波長レベルＷＬＬから加入されるｙＫＭ個の加入波長群と出力側光ファイバＦo1、Ｆo2、・・・ＦoKとの間で切り換えを行うＭ個の波長群加入用マトリックススイッチＢＭＳ３とを、備えていることから、波長群レベルＷＢＬにおいて、本来的に不要なｄｒｏｐ( ドロップ) 出力に対するａｄｄ( 加入) 入力に対応するマトリックス領域が解消されて、全体としてマトリックススイッチの規模が大幅に小さくなる。したがって、小型且つ安価な階層化光パスクロスコネクト装置７０が得られる。
【００６２】
また、本実施例の光パスクロスコネクト装置７０では、バンドクロスコネクト部ＢＸＣが、波長群ドロップ用マトリックススイッチ( 入力波長群／ドロップ波長群間マトリックススイッチ) ＢＭＳ１は、ＫＭ個の入力とｙＫＭ個の出力とを有するＭ個のマトリックススイッチであり、波長群方路切換用マトリックススイッチ（入力波長群／出力波長群間マトリックススイッチ） ＢＭＳ２は、Ｋ個の入力とＫ個の出力とを有するＭ個のマトリックススイッチから成るものであり、波長群加入用マトリックススイッチ（加入波長群／出力波長群間マトリックススイッチ） ＢＭＳ３は、ｙＫＭ個の入力とＫＭ個の出力とを有するＭ個のマトリックススイッチであることから、波長群レベルＷＢＬにおいて、本来的に不要なｄｒｏｐ( ドロップ波長群) 出力に対する( 加入波長群) 入力に対応するマトリックス領域が解消されて、全体としてマトリックススイッチの規模が小型な階層化光パスクロスコネクト装置７０が得られる。
【００６３】
また、本実施例の光パスクロスコネクト装置７０では、波長クロスコネクト部ＷＸＣが、Ｎ個の波長毎に、バンドクロスコネクト部ＢＸＣからその波長クロスコネクト部ＷＸＣへドロップされた所定数のドロップ波長群を構成するｙＫＭ個の波長のパスと電気レイヤＥＬへドロップさせる所定数ｙｚＫＭ個のドロップ波長のパスとの間で切り換えを行うＮ個の波長ドロップ用マトリックススイッチ（ドロップ波長群波長／ドロップ波長間マトリックススイッチ）ＷＭＳ１と、Ｎ個の波長毎に、所定数ｙｚＫＭ個のドロップ波長群を構成する波長のパスとその所定数ｙｚＫＭ個の加入波長群を構成する波長のパスとの間で切り換えを行うＮ個の波長方路切換用マトリックススイッチ( ドロップ波長群波長／加入波長群波長間マトリックススイッチ) ＷＭＳ２と、Ｎ個の波長毎に、電気レイヤＥＬからの所定数ｙｚＫＭ個の加入波長のパスと前記所定数の加入波長群を構成する波長のパスとの間で切り換えを行うＮ個の波長加入用マトリックススイッチ（加入波長／加入波長群波長間マトリックススイッチ）ＷＭＳ３とを、含むことから、波長レベルＷＬＬにおいて、本来的に不要なｄｒｏｐ( ドロップ波長群) 出力に対するａｄｄ( 加入波長群) 入力に対応するマトリックス領域が解消されて、全体としてマトリックススイッチの規模が一層小型な階層化光パスクロスコネクト装置７０が得られる。
【００６４】
また、本実施例の光パスクロスコネクト装置７０では、波長群レベルＷＢＬのバンドクロスコネクト部ＢＸＣにおいて、波長群ドロップ用マトリックススイッチＢＭＳ１は、ＫＭ個の入力とｙＫＭ個の出力とを有するものであり、波長群方路切換用マトリックススイッチＢＭＳ２は、Ｋ個の入力とＫ個の出力とを有するＭ個のマトリックススイッチから成るものであり、波長群加入用マトリックススイッチＢＭＳ３は、ｙＫＭ個の入力とＫＭ個の出力とを有するものであることから、たとえばＫ＝８、Ｍ＝８、Ｎ＝１２、ｙ＝０．５、ｚ＝０．５とした場合には、８個の６４×３２の波長群ドロップ用マトリックススイッチＢＭＳ１と、８個の８×８の波長群方路切換用マトリックススイッチＢＭＳ２と、８個の３２×６４の波長群加入用マトリックススイッチＢＭＳ３とから構成される。また、波長レベルＷＬＬの波長クロスコネクト部ＷＸＣにおいて、Ｎ個の波長ドロップ用マトリックススイッチＷＭＳ１は、ｙｚＫＭ個の入力とｙＫＭ個の出力とを有するものであり、Ｎ個の波長方路切換用マトリックススイッチＷＭＳ２は、ｙＫＭ個の入力とｙＫＭ個の出力とを有するものであり、Ｎ個の波長加入用マトリックススイッチＷＭＳ３は、ｙＫＭ個の入力とｙｚＫＭ個の出力とを有するものであることから、１２個の１６×３２の波長ドロップ用マトリックススイッチＷＭＳ１と、１２個の３２×３２の波長方路切換用マトリックススイッチＷＭＳ２と、１２個の３２×１６の波長加入用マトリックススイッチＷＭＳ３とから構成される。バンドクロスコネクト部ＢＸＣおよび波長クロスコネクト部ＷＸＣはこのように構成されることで、全体としてマトリックススイッチの規模が小型な光パスクロスコネクト装置１０が得られる。
【実施例５】
【００６５】
図９に示す光パスクロスコネクト装置８０は、図８の光パスクロスコネクト装置７０に対して、波長レベルＷＬＬの波長クロスコネクト部ＷＸＣにおいて、波長ドロップ用マトリックススイッチＷＭＳ１および波長加入用マトリックススイッチＷＭＳ３の構成が相違するが、他は同様に構成されている。
【００６６】
図１０は、上記光パスクロスコネクト装置８０において、入力側光合波分波器ＡＷ1 〜ＡＷyKM のうち、入力側光合波分波器ＡＷ1 が波長周回性を有しないアレイ導波路格子から構成されている場合において、その波長光合波分波器ＡＷ1 の入出力作動を説明する図である。図１０において、複数のドロップ波長群ＷＢ1 、ＷＢ2 、・・・ＷＢM が入力されると、それらにそれぞれ含まれる波長λ1 、波長λ2 、・・・λN が分波されて、第１波長用の方路切換用マトリックススイッチＷＭＳ２、第２波長用の方路切換用マトリックススイッチＷＭＳ２、・・・第Ｎ波長用の方路切換用マトリックススイッチＷＭＳ２へ出力される。
【００６７】
本実施例では、ａｄｄ／ｄｒｏｐ率ｚが１と設定されており、波長ドロップ用マトリックススイッチＷＭＳ１および波長加入用マトリックススイッチＷＭＳ３は、図８の実施例に比較して、波長毎に分割されることによりｙＫＭＮ個の１×２のマトリックススイッチおよび２×１のマトリックススイッチ、すなわち１×２および２×１の光スイッチＰＳからそれぞれ構成されている。したがって、本実施例の波長ドロップ用マトリックススイッチＷＭＳ１および波長アッド用マトリックススイッチＷＭＳ３は、合計で、２ｙＫＭＮ個の個のクロスポイント数すなわち光スイッチＰＳを備えている。
【００６８】
本実施例においても、図８の実施例と同様に、バンドクロスコネクト部ＢＸＣが、波長群レベルＷＢＬにおいて、Ｋ本の入力側光ファイバＦi1、Ｆi2、・・・ＦiKと所定数すなわち予め設定されたｄｒｏｐ／ａｄｄ率ｙで波長レベルＷＬＬへドロップさせられるｙＫＭ個のドロップ波長群のパスとの間で切り換えを行うＭ個の波長群ドロップ用マトリックススイッチＢＭＳ１と、Ｋ本の入力側光ファイバＦi1、Ｆi2、・・・ＦiKとＫ本の出力側光ファイバＦo1、Ｆo2、・・・ＦoKとの間で切り換えを行うＭ個の波長群方路切換用マトリックススイッチＢＭＳ2 と、上記所定数すなわち予め設定されたｄｒｏｐ／ａｄｄ率ｙで波長レベルＷＬＬから加入されるｙＫＭ個の加入波長群と出力側光ファイバＦo1、Ｆo2、・・・ＦoKとの間で切り換えを行うＭ個の波長群加入用マトリックススイッチＢＭＳ３とを、備えており、波長クロスコネクト部ＷＸＣが、Ｎ個の波長毎に、バンドクロスコネクト部ＢＸＣからその波長クロスコネクト部ＷＸＣへドロップされた所定数のドロップ波長群を構成するｙＫＭ個の波長のパスと電気レイヤＥＬへドロップさせる所定数ｙｚＫＭ個のドロップ波長のパスとの間で切り換えを行うＮ個の波長ドロップ用マトリックススイッチＷＭＳ１と、Ｎ個の波長毎に、所定数ｙｚＫＭ個のドロップ波長群を構成する波長のパスとその所定数ｙｚＫＭ個の加入波長群を構成する波長のパスとの間で切り換えを行うＮ個の波長方路切換用マトリックススイッチＷＭＳ２と、Ｎ個の波長毎に、電気レイヤＥＬからの所定数ｙｚＫＭ個の加入波長のパスと前記所定数の加入波長群を構成する波長のパスとの間で切り換えを行うＮ個の波長加入用マトリックススイッチＷＭＳ３とを、備えることから、波長群レベルＷＢＬおよび波長レベルＷＬＬにおいて、本来的に不要なｄｒｏｐ( ドロップ) 出力に対するａｄｄ( 加入) 入力に対応するマトリックス領域がそれぞれ解消されて、全体としてマトリックススイッチの規模を大幅に小さくなる。したがって、小型且つ安価な階層化光パスクロスコネクト装置８０が得られる。
【００６９】
また、本実施例の光パスクロスコネクト装置８０では、波長レベルＷＬＬと電気レベルＥＬとの間の切り換えを行う波長ドロップ用マトリックスＭＳ１および波長アッド用マトリックススイッチＭＳ３は、ＫＭＮ個の最少の１×２および２×１の光スイッチＰＳからそれぞれ構成されているので、合計で、２ＫＭＮ個のクロスポイント数すなわち光スイッチＰＳを備えていることから、２ｚＫ２Ｍ２Ｎ２個のクロスポイント数すなわち光スイッチＰＳを備えている実施例１の波長ドロップ用マトリックススイッチＭＳ１および波長アッド用マトリックススイッチＭＳ３に比較して、クロスポイント数すなわち光スイッチＰＳが大幅に少なくされ、一層、小型且つ安価な光パスクロスコネクト装置６０が得られる。
【００７０】
図１１は、本発明の一例の光パスクロスコネクト装置におけるマトリックススイッチの減縮効果を説明する図である。図１１では、実施例４に示される階層化光パスクロスコネクト装置７０に対して波長レベルＷＬＬの波長クロスコネクト部ＷＸＣにおける、波長ドロップ用マトリックススイッチＷＭＳ１、波長方路切換用マトリックススイッチＷＭＳ２、および波長加入用マトリックススイッチＷＭＳ３の個数がＭＮ個である点で相違するが、他は同様に構成されている。実施例の階層化光パスクロスコネクト装置を用いた場合を実線で示し、それと同じルーティング条件下で図１２に示す従来の階層化光パスクロスコネクト装置を用いた場合を破線で示している。図１１において、入力ファイバの本数と階層化光パスクロスコネクト装置の全体としてのマトリックススイッチのクロスポイント数との関係が示されているが、実線で示される実施例の階層化光パスクロスコネクト装置は、図１２の従来の階層化光パスクロスコネクト装置と比較して、約４９％が削減される。
【００７１】
図１２は、従来の階層化光パスクロスコネクト装置の要部構成を示す概念図である。図１２に示す従来の階層化光パスクロスコネクト装置には、図８に示す階層化光パスクロスコネクト装置７０と同様の機能である部分の符号と同じ符号を付してあるが、バンドクロスコネクト部ＢＸＣにおいて、Ｋ本の入力側光ファイバＦi1、Ｆi2、・・・ＦiKおよび出力側光ファイバＦo1、Ｆo2、・・・ＦoKに対応して設けられているＫ個の波長群切換用マトリックススイッチＢＭＳが方路切換とａｄｄ／ｄｒｏｐ切換とが分離されておらず一体である点、波長クロスコネクト部ＷＸＣにおいて、Ｍ個の波長切換用マトリックススイッチＷＭＳが方路切換とａｄｄ／ｄｒｏｐ切換とが分離されておらず一体である点で、相違する。それらＫ個の波長群切換用マトリックススイッチＢＭＳおよびＭ個の波長切換用マトリックススイッチＷＭＳは、入力数( 入力波長群数または波長数＋アッド波長群数または波長数) ×出力数( 出力波長群数または波長数＋加入( ドロップ) 波長群数または波長数) という大きさとなるので、本来的に( アッド波長群数または波長数) ×( 加入( ドロップ) 波長群数または波長数） という不要な領域が含まれることになり、その分がＫ個の波長群切換用マトリックススイッチＢＭＳおよびＭ個の波長切換用マトリックススイッチＷＭＳを大きくしている。
【００７２】
以上、本発明の一実施例を図面に基づいて説明したが、本発明はその他の態様においても適用される。
【００７３】
たとえば、前述の実施例において、波長レベルＷＬＬで波長単位でクロスコネクトを行う１階層構成の光パスクロスコネクト装置１０、５０、６０と、波長群レベルＷＢＬおよび波長レベルＷＬＬで波長群単位および波長単位でそれぞれクロスコネクトを行う階層化( ２階層) 構成の光パスクロスコネクト装置７０、８０が説明されていたが、本発明は、３階層以上に構成されたものであっても適用される。
【００７４】
また、前述の光パスクロスコネクト装置１０、５０、６０、７０、８０において、入力側光ファイバＦi1、Ｆi2、・・・ＦiKおよび出力側光ファイバＦo1、Ｆo2、・・・ＦoKの本数Ｋ、１本の光ファイバにより伝送される波長群数Ｍ、１個の波長群に含まれる波長数Ｎ、波長群レベルＷＢＬと波長レベルＷＬＬとの間のａｄｄ／ｄｒｏｐ率ｙ、波長レベルＷＬＬと電気レベルＥＬとの間のａｄｄ／ｄｒｏｐ率ｚは、必要に応じて種々変更され得るものである。
【００７５】
その他、一々例示はしないが、本発明はその趣旨を逸脱しない範囲で種々変更を加え得るものである。
【符号の説明】
【００７６】
１０、５０、６０：光パスクロスコネクト装置
７０、８０：光パスクロスコネクト装置( 階層化光パスクロスコネクト装置)
ＢＸＣ：バンドクロスコネクト部
ＷＸＣ：波長クロスコネクト部
Ｆi1、Ｆi2、・・・ＦiK：入力側光ファイバ( 入力側波長群パス)
Ｆo1、Ｆo2、・・・ＦoK：出力側光ファイバ( 出力側波長群パス)
ＭＳ１：波長ドロップ用マトリックススイッチ( 入力波長群波長／ドロップ波長間マトリックススイッチ)
ＭＳ２：波長方路切換用マトリックススイッチ( 入力波長群波長／出力波長群波長間マトリックススイッチ)
ＭＳ３：波長アッド用マトリックススイッチ( 加入波長／出力波長群波長間マトリックススイッチ)
ＰＳ：光スイッチ
ＢＭＳ１：波長群ドロップ用マトリックススイッチ( 入力波長群／ドロップ波長群間マトリックススイッチ)
ＢＭＳ2 ：波長群方路切換用マトリックススイッチ( 入力波長群／出力波長群間マトリックススイッチ)
ＢＭＳ３：波長群加入用マトリックススイッチ( 加入波長群／出力波長群間マトリックススイッチ)
ＷＭＳ１：波長ドロップ用マトリックススイッチ( ドロップ波長群波長／ドロップ波長間マトリックススイッチ)
ＷＭＳ２：波長方路切換用マトリックススイッチ( ドロップ波長群波長／加入波長群波長間マトリックススイッチ)
ＷＭＳ３：波長加入用マトリックススイッチ( 加入波長／加入波長群波長間マトリックススイッチ)
【図１】
2010219828.tif 000003
【図２】
2010219828.tif 000004
【図３】
2010219828.tif 000005
【図４】
2010219828.tif 000006
【図５】
2010219828.tif 000007
【図６】
2010219828.tif 000008
【図７】
2010219828.tif 000009
【図８】
2010219828.tif 000010
【図９】
2010219828.tif 000011
【図１０】
2010219828.tif 000012
【図１１】
2010219828.tif 000013
【図１２】
2010219828.tif 000014